(57)【要約】【課題】原稿搬送装置１０３に重さの異なるカードリーダーを取り付けた場合でも、原稿搬送装置１０３の重量バランスの変化を抑制する。【解決手段】  原稿搬送装置１０３の重量バランスを調整するための錘６０３を有する画像読取装置１０２において、原稿搬送装置１０３には錘６０３の位置を調整可能にするための案内溝６０１が設けられることを特徴とする画像読取装置１０２。【選択図】  図７
2019054437.tif 000002
【特許請求の範囲】
【請求項１】
シートが載置される読取ガラスと、前記読取ガラスの上に置かれたシートの画像を前記読取ガラスを通して読み取る読取手段とを備える第１ユニットと、
前記第１ユニットに対して回動可能に設けられ前記読取ガラスに置かれたシートを押圧するように構成された第２ユニットと、を有し、
前記第２ユニットは、外部からの情報を受信する通信装置が取り付けられる取付部と、前記第２ユニットの重量を調整する錘を移動可能に保持する保持部と、を備えることを特徴とする画像読取装置。
【請求項２】
前記保持部は、前記第１ユニットと前記第２ユニットの回動軸線方向に対して交差する方向に前記錘を移動可能に保持することを特徴とする請求項１に記載の画像読取装置。
【請求項３】
前記保持部に対する前記錘の位置を決める位置決め手段を備えることを特徴とする請求項１又は２に記載の画像読取装置。
【請求項４】
前記保持部は、前記錘を案内する案内溝であることを特徴とする請求項１乃至３のいずれか１項に記載の画像読取装置。
【請求項５】
前記錘、又は前記案内溝の一方にリブを設け、前記錘、又は前記案内溝の他方に前記リブと係合する位置決め溝を設けることを特徴とする請求項４に記載の画像読取装置。
【請求項６】
前記取付部と前記保持部は、前記第２ユニットの本体から一体で取り外すことが可能なホルダーに設けられることを特徴とする請求項１乃至５のいずれか１項に記載の画像読取装置。
【請求項７】
前記第１ユニットと、前記第２ユニットを回動可能に保持するヒンジを備えることを特徴とする請求項１乃至６のいずれか１項に記載の画像読取装置。
【請求項８】
前記通信装置はカードリーダーであることを特徴とする請求項１乃至７のいずれか１項に記載の画像読取装置。
【請求項９】
前記第２ユニットは、前記読取手段によってシートの画像が読み取られる読取位置にシートを搬送する搬送手段を備える原稿搬送装置であることを特徴とする請求項１乃至８のいずれか１項に記載の画像読取装置。
【請求項１０】
前記第２ユニットは、前記取付部に取付けられた前記通信装置を備えることを特徴とする請求項１乃至９のいずれか１項に記載の画像読取装置。
【請求項１１】
請求項１乃至１０のいずれか１項に記載の画像読取装置と、
前記画像読取装置で読み取られた画像情報に基づいて画像を形成する画像形成部と、を備える画像形成装置。
【請求項１２】
シートが載置される読取ガラスと、前記読取ガラスの上に置かれたシートの画像を前記読取ガラスを通して読み取る読取手段とを備える第１のユニットに対して回動可能に設けられるシート搬送装置であって、
前記搬送装置は、前記読取手段によってシートの画像が読み取られる読取位置にシートを搬送する搬送手段と、外部からの情報を受信する通信装置を取り付ける取付部と、前記第２ユニットの重量を調整する錘を移動可能に保持する保持部と、を備えることを特徴とするシート搬送装置。
【発明の詳細な説明】
【技術分野】
【０００１】
本発明は、シートを搬送する原稿搬送装置、シートの画像を読み取る画像読取装置及びこれを具備する画像形成装置に関するものである。
【背景技術】
【０００２】
電子写真方式を利用した画像形成装置等において、セキュリティを強化のためにＩＣカードにより本人認証を求めるものが知られている。本人認証を行う認証装置は、画像形成装置本体に設けられるオペレーションパネルに隣接する位置に設けられたり（特許文献１）、画像形成装置本体の側面に設けられたりする（特許文献２）。
【先行技術文献】
【特許文献】
【０００３】
【特許文献１】特許５５９３７０９号公報
【特許文献２】特開２０１３−３００４２号公報
【発明の概要】
【発明が解決しようとする課題】
【０００４】
画像形成装置の小型化する一方、画像形成装置を操作するためのオペレーションパネルはユーザビリティを考慮して大型化する傾向がある。そのため、オペレーションパネルに隣接する位置にユーザと無線通信をするユーザ認証装置（通信装置）を配置できない場合がある。また、画像形成装置本体の側面に認証装置を設ける構成にすると、画像形成装置本体の側面から飛び出た位置に認証装置が配置されるため、設置場所に広いスペースを用意しなければならない。そこで、画像形成装置本体の上部に設けられる画像読取装置の原稿搬送装置に認証装置を配置することが考えられる。
【０００５】
認証装置は、画像形成装置の設置場所や用途により、必ずしも画像形成装置に設ける必要はない。例えば、画像形成装置の設置場所が公共施設でありユーザの認証を行うことが困難である場合や、画像形成装置を用いるのが信頼できる少数の人間である場合は、認証装置は必ずしも必要ではない。したがって、認証装置は画像形成装置のオプション部品とされることがある。
【０００６】
また、原稿搬送装置に配置される認証装置は、コストや機能上の要求等により、複数存在する場合がある。そして、原稿搬送装置に異なる認証装置を配置できるような構成の場合、認証装置の重さの違いによる影響を考慮する必要がある。
【０００７】
本発明の目的は、認証装置のようなオプション部品を装着可能な画像読取装置において、オプション部品の影響を低減することである。
【課題を解決するための手段】
【０００８】
本発明に係る画像読取装置の一態様は、シートが載置される読取ガラスと、前記読取ガラスの上に置かれたシートの画像を前記読取ガラスを通して読み取る読取手段とを備える第１ユニットと、前記第１ユニットに対して回動可能に設けられ前記読取ガラスに置かれたシートを押圧するように構成された第２ユニットと、を有し、前記第２ユニットは、外部からの情報を受信する通信装置が取り付けられる取付部と、前記第２ユニットの重量を調整する錘を移動可能に保持する保持部と、を備えることを特徴とする。
【発明の効果】
【０００９】
本発明によれば、認証装置のようなオプション部品を装着可能な画像読取装置において、オプション部品の影響を低減することができる。
【図面の簡単な説明】
【００１０】
【図１】本発明の画像形成装置の概要を示した図
【図２】本発明の画像読取装置の概要を示した図
【図３】本発明の原稿搬送装置をリーダーユニットに対して開いた状態を示した図
【図４】本発明の原稿搬送装置内におけるホルダーの位置関係を示した図
【図５】本発明のホルダーの概要を示した図
【図６】本発明のホルダーの概要を別の視点から示した図
【図７】本発明の調整用錘の位置を変えた場合の例を示した図
【発明を実施するための形態】
【００１１】
以下に図面を参照して、この発明の好適な実施の形態を例示して詳しく説明する。画像読取装置は、フラットベッドスキャナのように装置単体として構成する場合の他、複写機やファクシミリなどの画像形成装置における画像読取部として用いられることも可能である。また、画像読取装置は、自動原稿搬送装置（以下、原稿搬送装置とする）を備え、原稿を搬送しながら読取る構成であっても良い。
【００１２】
なお、以下の実施の形態に記載されている構成部品の寸法、材質、形状、その相対配置などは、特に特定的な記載がない限りは、この発明の範囲をそれらのみに限定する趣旨のものではない。
【００１３】
図１は本発明に係る画像形成装置１０１の概要を示した図である。画像形成装置１０１は画像読取装置１０２と画像形成装置本体１０７を備える。画像読取装置１０２は、回動ユニットである原稿搬送装置１０３、読取ユニットであるリーダーユニット１０４、原稿載置トレイ１０５、原稿排出トレイ１０６を備える。画像形成装置本体１０７は、画像形成部１０８、シート給送部１０９、操作パネル１１０を備える。操作パネル１１０は、画像表示部１１２、テンキー１１１を備える。画像形成部１０８は画像形成装置本体１０７の内部に設けられ、公知の電子写真方式による画像形成を行う。画像形成部１０８は、図示しない感光体、露光装置、現像装置、転写装置、定着装置を備える。露光装置は、画像情報に基づき感光体に静電潜像を形成する。現像装置は、静電潜像をトナーにより現像剤像に現像する。転写装置は、現像剤像をシート給送部１０９から搬送されて来たシート状の記録媒体に転写する。定着装置は、記録媒体上の現像剤像を記録媒体に定着させる。現像剤像が定着された記録媒体は、記録媒体排出トレイ１１３に排出される。コピーの場合、画像情報は、画像読取装置１０２により原稿の画像を読取ることで生成され、画像形成部１０８へ送信される。プリントの場合、画像情報は、外部装置からプリントジョブとして画像形成部１０８に送信される。原稿は、普通紙の他、ＯＨＰ等のシートである。
【００１４】
図２は図１の画像読取装置１０２の拡大図である。
【００１５】
画像読取装置１０２の原稿載置トレイ１０５と原稿排出トレイ１０６は、鉛直方向において少なくとも一部が重なるように構成されている。原稿搬送装置１０３の手前側には認証部２０１が設けられている。認証部２０１の内部にはユーザの認証情報を取得する取得手段である、カードリーダ（６０５／７０１）が備えられている。カードリーダ（６０５／７０１）は、非接触式のＩＣカードリーダーである。ユーザは認証部２０１に認証カードをかざすことにより、カードリーダ（６０５／７０１）にカードの認証情報を読取らせる。カードリーダ（６０５／７０１）は、外部から情報を受信する受信手段の一例であり、本実施形態で説明をしているオプション品の一例でもある。
【００１６】
原稿を画像読取装置１０２により流し読みする場合について説明をする。ユーザは、原稿を原稿載置トレイ１０５に載置し、操作パネル１１０（図１）により原稿の読取りを指示する。原稿載置トレイ１０５に載置された原稿は不図示の給送手段である給送ローラにより読取位置まで給送され、読取部により原稿の画像を読取られる。読取部にはＣＩＳ（ｃｏｎｔａｃｔ  ｉｍａｇｅ  ｓｅｎｓｏｒ）やＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ  ｓｅｎｓｏｒ）を適用することが可能である。前記読取部によって画像情報を読取られた原稿は原稿排出トレイ１０６上に排出される。
【００１７】
図３は、原稿搬送装置１０３をリーダーユニット１０４に対して開いた状態を示した図である。原稿搬送装置１０３は、ヒンジ３０２を中心にリーダーユニット１０４に対して回動可能に設けられている。ヒンジの回動軸線方向に対して交差する方向において、ヒンジ３０２がある側を奥側、操作部１１０がある側を手前側とする。原稿搬送装置１０３が回動することにより、原稿搬送装置１０３は読取ガラスとしての原稿台ガラス３０３の上部空間を開放する開き位置と、原稿台ガラス３０３に対して閉じられた閉じ位置を取ることが可能である。原稿搬送装置１０３は、原稿圧板３０１を備えている。原稿圧板３０１は、原稿搬送装置１０３が閉じ位置にある時に、原稿台ガラス３０３上の原稿を押圧するように構成されている。リーダーユニット１０４は原稿台ガラス３０３を備えている。
【００１８】
原稿を原稿台ガラス３０３に載置して読取りを行う場合について説明をする。ユーザは原稿搬送装置１０３を開き、原稿台ガラス３０３を露出させる。ユーザは、原稿台ガラス３０３に、画像を下にして原稿を載置し、原稿搬送装置１０３を閉じる。原稿搬送装置１０３の原稿圧板３０１は、原稿台ガラス３０３に原稿を押し付ける。ユーザが、操作パネル１１０により原稿の読取を指示すると、図示しない読取部が移動し、原稿の画像を読取る。
【００１９】
図４は、原稿搬送装置１０３の原稿圧板３０１を外し、下側から示した図である。原稿搬送装置１０３には筐体であるベースフレーム４０２とホルダー４０１が設けられている。ホルダー４０１は、カードリーダー（６０５／７０１）及び調整用の錘６０３を取付けるためのものである。ここで、本実施形態ではホルダー４０１に取付けられるものとしてカードリーダー（６０５／７０１）を例に説明しているが、着脱可能な他のオプション部品にも適用可能である。例えば指紋認証装置や、ＮＦＣ（Ｎｅａｒ  Ｆｉｅｌｄ  Ｃｏｍｍｕｎｉｃａｔｉｏｎ）を利用した画像のデータを通紙するための通信装置であっても構わない。
【００２０】
図５はホルダー４０１の下面図、図６はホルダー４０１の斜視図である。ホルダー４０１は、カードリーダー（６０５／７０１）などのオプション部品を取付けるためのオプション取付部５０２と、錘６０３を取付けるための錘案内部５０１を含む。図６に示すように、錘案内部５０１には錘６０３の位置が原稿搬送装置１０３の手前側から奥側まで調整可能なように案内手段としての案内溝６０１が構成されている。案内溝６０１は、本実施形態における錘６０３を移動可能に保持する保持部の一例である。錘６０３には、位置決めリブ６０４が設けられ、案内溝６０１には複数の位置決め溝６０２が設けられている。前記位置決めリブ６０４はそれぞれの位置決め溝６０２に係合することが可能となっている。位置決めリブ６０４と位置決め溝６０２が錘６０３の位置決め手段となり、案内溝６０１の内部で錘６０３が移動することを防止している。なお、錘６０３に位置決め溝を設け、案内溝６０１にリブを設けてもよい。即ち、錘６０３又は案内溝６０１の一方に位置決め溝を設け、錘６０３又は案内溝６０１の他方にリブを設ければよい。
【００２１】
錘６０３の機能について説明する。錘６０３は、カードリーダー６０５／７０１による原稿搬送装置１０３の重さのバランスを低減させるために設けられている。
【００２２】
原稿搬送装置１０３の重さのバランスをとる必要について説明をする。原稿台ガラス３０３に置かれた原稿は原稿圧板３０１により押圧される。そのため、原稿搬送装置１０３は所定の重さが必要となる。しかし、原稿搬送装置１０の重さが重すぎると、ユーザが原稿搬送装置１０３をリーダーユニット１０４に対して開く際に必要な力が大きくなってしまうおそれがある。
【００２３】
また、原稿搬送装置１０は、ヒンジ３０２を中心にリーダーユニット１０４に対して所定の回動角度の範囲内において静止可能（フリーストップ可能）に設けられている。フリーストップとは原稿搬送装置１０３をリーダーユニット１０４に対して任意の角度で開いた時に、原稿搬送装置１０３の重量とヒンジ３０２のトルクとが釣り合い、原稿搬送装置１０３が前記角度で開いた状態を維持することである。フリーストップ可能な原稿搬送装置１０の回動角度は、ヒンジ３０２のトルク、原稿搬送装置１０自体の重さにより決まる。しかしながら、原稿搬送装置１０３に取付けられるカードリーダー６０５／７０１を変更すると、原稿搬送装置１０３の重さが変わってしまう。そのため、原稿搬送装置１０３に取付けられるカードリーダー６０５／７０１により、原稿搬送装置１０３がフリーストップ可能な回動角度が変化してしまうおそれがある。
【００２４】
そのため、原稿搬送装置１０３に取付けられるカードリーダー６０５／７０１の影響を考慮して錘６０３の原稿搬送装置１０３の中での位置を変えるようにする。
【００２５】
図７は錘６０３の位置を変えた場合の例を示した図である。本実施形態で説明したカードリーダー（６０５／７０１）のようなオプション部品は、ユーザの機能上の要望や、コストの要望により、ユーザの要望に合わせて種類の異なるオプション品が取り付けられる場合がある。例えば、もともと取り付けられていたオプション品に代えて、機能が向上した別のオプション品を取り付けることが考えられる。
【００２６】
例えば、原稿搬送装置１０３にカードリーダー６０５が取り付けられており、その後、カードリーダー６０５を別のカードリーダー７０１に切り替える必要が発生したとする。原稿搬送装置１０３にカードリーダー６０５が取付けられていた際に、錘６０３はホルダー４０１の第１の調整位置７０２の位置に調整されていたとする。ここで、別のカードリーダー７０１は従来のカードリーダー６０５よりも重い場合を想定する。この場合、カードリーダー６０５からカードリーダー７０１に交換した後、錘６０３の位置を第１の調整位置７０２のままにした場合、カードリーダー７０１は従来のカードリーダー６０５よりも重いため、原稿搬送装置１０３にかかるモーメントが大きくなる。
【００２７】
そのため、原稿搬送装置１０３のリーダーユニット１０４に対する開閉動作に影響を与えてしまう。このケースの影響としては、ユーザが原稿搬送装置１０３をリーダーユニット１０４に対して開くときの操作性が重くなる影響がある。また、原稿搬送装置１０３とリーダーユニット１０４に対して任意の角度で開いた時にフリーストップ可能な原稿搬送装置１０３の回動角度が小さくなってしまう影響がある。
【００２８】
このため、従来よりも重いカードリーダー７０１に交換した場合は、錘６０３の位置を第１の調整位置７０２から第２の調整位置７０３に調整し、錘６０３の位置をヒンジ３０２に近く配置することで原稿搬送装置の重さのバランスをとるようにしている。
【００２９】
以上より、異なる重さのオプション部品が取付けられることが想定される場合には、本特許で記載した錘案内部５０１内で錘６０３の位置を調整可能な構成にすることによって、重量バランスを保つことが可能となる。これにより、異なる重さのオプション部品が取付けられた場合でも、原稿搬送装置１０３の操作性が悪化することや、フリーストップに影響を与えることを低減することができる。
【００３０】
本実施形態では、画像読取装置本体から一体で取り外し可能なホルダー４０１に、カードリーダー６０５／７０１と錘６０３とを取り付ける部分を設けている。そのため、カードリーダー６０５／７０１の交換と、錘６０３の調整を容易に行うことができる。しかし、カードリーダー６０５／７０１を取り付けるホルダーと錘６０３を取り付けるホルダーを別に構成してもよい。
【００３１】
（その他）
上述した実施形態では、カードリーダー６０５とカードリーダー７０１とを交換する例で説明をしたが、交換に限られるものではない。例えば、カードリーダーの有無により錘６０３を移動させる構成にしてもよい。例えば、カードリーダー７０１が原稿搬送装置１０３に存在しない場合は、錘６０３を第１の調整位置７０２に配置し、カードリーダー７０１が原稿搬送装置１０３に取付けた場合には、錘６０３を第２の調整位置７０３に調整するようにしてもよい。
【００３２】
上述した実施形態では、錘６０３の位置決め手段として位置決めリブ６０４と複数の位置決め溝６０２を用いた例を説明したがこれに限られるものではない。錘６０３の位置を設定できるのであれば、粘着テープ等を用いて位置決めを行ってもよい。
【００３３】
上述した実施形態では、カードリーダー６０５／７０１を取りつける装置として原稿搬送装置１０を用いて説明したがこれに限られるものではない。原稿搬送機能を有さない圧板ユニットの内部にカードリーダー６０５／７０１を取り付ける構成であっても良い。
【００３４】
また、上述した実施形態では、電子写真方式の画像形成装置で説明を行ったがこれに限られるものではない。電子写真方式の画像形成装置に代えて、インクを吐出して用紙に画像を形成するインクジェット方式の画像形成装置に本実施形態に係る発明を適用してもよい。
【符号の説明】
【００３５】
１０１  画像形成装置
１０２  画像読取装置
１０３  原稿搬送装置
１０４  リーダーユニット
１０５  原稿載置トレイ
１０６  原稿排出トレイ
１０７  画像形成装置本体
１０８  画像形成部
１０９  シート給送部
１１０  操作パネル
１１１  テンキー
１１２  画像表示部
２０１  認証部
３０１  原稿圧板
３０２  ヒンジ
３０３  原稿台ガラス
４０１  ホルダー
４０２  ベースフレーム
５０１  調整用錘案内部
５０２  オプション取付部
６０１  案内手段（案内溝）
６０２  位置決め溝
６０３  調整用錘
６０４  位置決めリブ
６０５  オプション部品（カードリーダー）
７０１  別のオプション部品（別のカードリーダー）
７０２  第１の調整位置
７０３  第２の調整位置
７０４  第１／第２の調整位置間距離
【図１】
2019054437.tif 000003
【図２】
2019054437.tif 000004
【図３】
2019054437.tif 000005
【図４】
2019054437.tif 000006
【図５】
2019054437.tif 000007
【図６】
2019054437.tif 000008
【図７】
2019054437.tif 000009